(57)【要約】【課題】複数列の端子部に対して、少ない工数で実装できるとともに、確実に固定することができる端子カバーを実現する。【解決手段】機器の端子部をカバーする端子カバーであって、特に列ごとに高さが異なる複数列の端子部を有する機器の端子カバーに関するものである。複数列の端子部のうち、低い方の位置にある端子部をカバーする第１のカバーと、複数列の端子部のうち、高い方の位置にある端子部をカバーする第２のカバーと、第１のカバーと第２のカバーの間にあり、それぞれと折り曲げ可能に連結するカバー連結部とを設けた。【選択図】図１
2007134252.tif 000002
【特許請求の範囲】
【請求項１】
列ごとに高さが異なる複数列の端子部を有する機器の端子カバーであって、
前記複数列の端子部のうち、低い方の位置にある端子部をカバーする第１のカバーと、
前記複数列の端子部のうち、高い方の位置にある端子部をカバーする第２のカバーと、
前記第１のカバーと第２のカバーの間にあり、それぞれと折り曲げ可能に連結するカバー連結部と、
を有することを特徴とする端子カバー。
【請求項２】
前記第１のカバーは、前記複数列の端子部のうち、低い方の位置にある端子部を該端子部の上から同時にカバーするとともに、前記高い方の位置にある端子部をカバーしないように避ける切り抜き部を有することを特徴とする請求項１記載の端子カバー。
【請求項３】
前記第１のカバーは、前記複数列の端子部のうち、低い方の位置にある端子部を該端子部の横方向からカバーするリブを有することを特徴とする請求項１又は２記載の端子カバー。
【請求項４】
前記第１のカバーは、前記機器にねじにより固定されることを特徴とする請求項１乃至３のいずれかに記載の端子カバー。
【請求項５】
前記第２のカバーは、前記カバー連結部と前記第１のカバーの間及び前記カバー連結部と第２のカバーの間が折り曲がることにより、前記第１のカバーに重なり、前記複数の端子部のうち、高い方の位置にある端子部を該端子部の上から同時にカバーすることを特徴とする請求項１乃至４のいずれかに記載の端子カバー。
【請求項６】
前記第２のカバーは、前記複数列の端子部のうち、高い方の位置にある端子部を該端子部の横方向からカバーするリブを有することを特徴とする請求項１乃至５のいずれかに記載の端子カバー。
【請求項７】
前記第２のカバーは、肉厚の円筒であるボスを有し、第２のカバーが前記第１のカバーに重なったときに前記ボスで第１のカバーを押さえるとともに、前記機器にねじにより固定されることを特徴とする請求項１乃至６のいずれかに記載の端子カバー。
【請求項８】
前記第１のカバー、第２のカバー及びカバー連結部は、樹脂による一体成型で、前記カバー連結部と前記第１及び第２のカバーとの間は樹脂を薄肉にすることで折り曲げ可能であることを特徴とする請求項１乃至７のいずれかに記載の端子カバー。
【発明の詳細な説明】
【技術分野】
【０００１】
本発明は、機器の端子部を被覆（カバー）する端子カバーであって、特に列ごとに高さが異なる複数列の端子部を有する機器の端子カバーに関するものである。
【背景技術】
【０００２】
工業用計器等の機器の端子部には、誤接触による感電防止や、誤動作等の防止のため、端子カバーが設けられている。
【０００３】
図６は従来の端子カバーの使用例を示した図である。図６（ａ）は従来の端子台の正面図、図６（ｂ）は従来の端子台の側面図である。
端子台１の各端子間隔壁に切り欠きを設け、コの字型の端子カバー２の弾性を利用し、端子カバー２を変形させ、コの字型の両端を端子台１の切り欠きに引っ掛けることにより固定している。
また、端子カバーを確実に固定するため、板状の端子カバーの両端を端子台等にねじで固定しているものもある。
【０００４】
温度調節計や温度指示計等のパネル計器の小型化の阻害とならない端子カバーの構造を示したものとして、例えば特許文献１に記載されたものがあった。
【０００５】
【特許文献１】特開平９−３０４１２４号公報
【発明の開示】
【発明が解決しようとする課題】
【０００６】
しかし、従来例では次の問題点があった。
図６のような端子カバーの場合、不意な接触により端子カバーが外れる可能性があった。
また、装置内に複数列の端子台がある場合、それぞれに端子カバーを設ける必要があり、端子カバーの設置に手間が掛かっていた。
さらに、装置内に複数列の端子台がある場合、その端子台に接続した配線を引き出すために、端子台と端子カバーの間に隙間が生じ、不意に装置の通電部分に接触する可能性があった。
【０００７】
本発明は上述した問題点を解決するためになされたものであり、複数列の端子部に対して、少ない工数で実装できるとともに、確実に固定することができる端子カバーを実現することを目的とする。
【課題を解決するための手段】
【０００８】
このような課題を達成するために、本発明は次のとおりの構成になっている。
（１）列ごとに高さが異なる複数列の端子部を有する機器の端子カバーであって、
前記複数列の端子部のうち、低い方の位置にある端子部をカバーする第１のカバーと、
前記複数列の端子部のうち、高い方の位置にある端子部をカバーする第２のカバーと、
前記第１のカバーと第２のカバーの間にあり、それぞれと折り曲げ可能に連結するカバー連結部と、
を有することを特徴とする端子カバー。
【０００９】
（２）前記第１のカバーは、前記複数列の端子部のうち、低い方の位置にある端子部を該端子部の上から同時にカバーするとともに、前記高い方の位置にある端子部をカバーしないように避ける切り抜き部を有することを特徴とする（１）記載の端子カバー。
【００１０】
（３）前記第１のカバーは、前記複数列の端子部のうち、低い方の位置にある端子部を該端子部の横方向からカバーするリブを有することを特徴とする（１）又は（２）記載の端子カバー。
【００１１】
（４）前記第１のカバーは、前記機器にねじにより固定されることを特徴とする（１）乃至（３）のいずれかに記載の端子カバー。
【００１２】
（５）前記第２のカバーは、前記カバー連結部と前記第１のカバーの間及び前記カバー連結部と第２のカバーの間が折り曲がることにより、前記第１のカバーに重なり、前記複数の端子部のうち、高い方の位置にある端子部を該端子部の上から同時にカバーすることを特徴とする（１）乃至（４）のいずれかに記載の端子カバー。
【００１３】
（６）前記第２のカバーは、前記複数列の端子部のうち、高い方の位置にある端子部を該端子部の横方向からカバーするリブを有することを特徴とする（１）乃至（５）のいずれかに記載の端子カバー。
【００１４】
（７）前記第２のカバーは、肉厚の円筒であるボスを有し、第２のカバーが前記第１のカバーに重なったときに前記ボスで第１のカバーを押さえるとともに、前記機器にねじにより固定されることを特徴とする（１）乃至（６）のいずれかに記載の端子カバー。
【００１５】
（８）前記第１のカバー、第２のカバー及びカバー連結部は、樹脂による一体成型で、前記カバー連結部と前記第１及び第２のカバーとの間は樹脂を薄肉にすることで折り曲げ可能であることを特徴とする（１）乃至（７）のいずれかに記載の端子カバー。
【発明の効果】
【００１６】
本発明によれば次のような効果がある。
列ごとに高さが異なる複数列の端子部に対して、低い方の位置にある端子部と高い方の位置にある端子部をそれぞれの位置ごとに同時にカバーし、ねじ固定をするので、端子列ごとに端子カバーを実装する必要がない。
よって、複数列の端子部に対して、端子カバーを少ない工数で実装できるとともに、確実に固定することができる。
【００１７】
また、端子カバーの側面にリブを設けることにより、側面から端子の通電部への不意の接触を防ぐことができる。
さらに、一体成形することにより、取り扱いのし易い端子カバーを提供することができる。
【発明を実施するための最良の形態】
【００１８】
以下、図面を用いて本発明を詳細に説明する。
図１は本発明の一実施例を示す構成図である。図１（ａ）は左からの斜視図、図１（ｂ）は右からの斜視図である。
端子カバー１００は、第１のカバー１１０、第２のカバー１２０及び、カバー連結部１３０からなる。
第１のカバー１１０は、複数列の端子部のうち、低い方の位置にある端子部をカバーする。第２のカバー１２０は、複数列の端子部のうち、高い方の位置にある端子部をカバーする。カバー連結部１３０は、第１のカバーと第２のカバーの間にあり、それぞれと折り曲げ可能に連結している。
【００１９】
具体的に、端子カバー１００は、樹脂を型に流して一体的に成型し、第１のカバー１１０とカバー連結部１３０の間及び、第２のカバー１２０とカバー連結部１３０の間の樹脂を薄肉にすることで、それぞれが折り曲げ可能に構成されている。
端子カバー１００を一体成型することにより、安価に作成することができるとともに、第１のカバー１１０、第２のカバー１２０、カバー連結部１３０が一体となっているので部品管理や、実装作業等の取り扱いがし易くなる。
樹脂としては、例えば、ポリプロピレン、ポリアミド樹脂等が用いられる。
別の例としては、第１のカバー１１０、第２のカバー１２０、カバー連結部１３０をそれぞれ別部品とし、第１のカバー１１０とカバー連結部１３０の間及び、第２のカバー１２０とカバー連結部１３０の間をヒンジで結合するような構成にしてもよい。
【００２０】
図２は本発明の端子カバーの取付説明図である。
温度調節計や電力モニタ等の機器２００を取り付け盤３００に取り付けた状態を機器２００の裏側から表している。
機器２００には、列ごとに高さが異なる複数の端子列２１０ａ，２１０ｂ，２２０ａ，２２０ｂ，２３０がある。
第１のカバー１１０には、機器２００の複数ある端子列のうち、高い位置にある端子列２１０ｂ，２２０ａ，２２０ｂをカバーしないように避けるための切り抜き部がある。
【００２１】
図３は複数列の端子部を有する機器の構成例を示した図である。
機器２００を電力モニタであるとした場合の端子構成例を説明する。
端子列２１０ａ，２１０ｂは電力の測定用端子でＭ４サイズのねじを使用している。端子列２１０ａと２１０ｂはそれぞれの端子へ配線がやりやすいように段差になっており、端子列２１０ｂの方が高い位置になっている。
端子列２２０ａ，２２０ｂは４〜２０ｍＡ出力、通信等の信号線を接続する端子でＭ３サイズのねじを使用している。端子列２２０ａと２２０ｂはそれぞれの端子へ配線がやりやすいように段差になっており、端子列２２０ｂの方が高い位置になっている。端子列２２０ａ，２２０ｂは端子列２１０ａ，２１０ｂよりサイズが小さいねじ端子であるので、その段差も端子列２１０ａと２１０ｂの段差よりも小さくなっている。
端子列２３０は機器２００の駆動用電源を接続する端子でＭ４サイズのねじを使用している。端子列２３０の高さは、端子列２１０ａと同じ高さに位置している。
このように、機器２００には端子のサイズや高さが違う端子列が複数存在している。
【００２２】
図４は本発明の端子カバーの取付説明図である。
まず、最下段の端子列２１０ａ，２３０に配線を行い、端子カバー１００の第１のカバー１１０を端子列２１０ａ，２３０を覆うように機器２００の裏面に嵌め込み、第１のカバー１１０の貫通穴を通し、ねじを機器２００本体のねじ穴に締結し、第１のカバー１１０を固定する。
このように、最下段の端子列２１０ａ，２３０のカバーを一度にすることでき、端子カバーを少ない工数で実装することができる。
また、第１のカバー１１０には、リブ１１１，１１２があるので、端子列２１０ａ，２３０の横方向から指等が触れることを防ぐことができるとともに、第１のカバー１１０はねじで固定されているので、不意な接触により端子カバー１００が外れることもなく安全である。
【００２３】
図５は本発明の端子カバーの取付説明図である。
次に、残りの端子列２１０ｂ，２２０ａ，２２０ｂに配線を行う。端子カバー１００を折り曲げ、第２のカバー１２０が端子列２１０ｂ，２２０ａ，２２０ｂを覆うようにする。ボス１２３の貫通穴及び第１のカバー１１０に設けた貫通穴を通して、ねじを機器２００本体のねじ穴に締結し、第２のカバー１２０を固定する。これにより、端子カバー１００全体が確実に固定される。
このように、端子列２１０ｂ，２２０ａ，２２０ｂのカバーを一度にすることができ、端子カバーを少ない工数で実装することができる。
また、第２のカバー１２０には、リブ１２１，１２２があるので、端子列２１０ｂ，２２０ａ，２２０ｂの横方向からの指等が触れることを防ぐことができるとともに、第２のカバー１２０は、ねじで固定されているので、不意な接触により端子カバーが外れることもなく安全である。
【００２４】
以上のように、列ごとに高さが異なる複数列の端子部に対して、低い方の位置にある端子部と高い方の位置にある端子部をそれぞれの位置ごとに同時にカバーし、ねじ固定をするので、端子列ごとに端子カバーを実装する必要がない。
よって、複数列の端子部に対して、端子カバーを必要最小限の工数で確実に実装することができる。
【００２５】
この例では、第１のカバー１１０の切り抜き部分は図２に示すように、切り抜き部が穴状になっており、切り抜き部の下方に第１のカバー１１０が残っている状態であるが、切抜き部の下方にある第１のカバー１１０の該当部分が無くなるように構成にしてもよい。
このようにすることで、端子列の各配線はそのままに、図４でねじを外した状態から端子カバーを図４の上方向に引き抜くことができ、逆に、全ての配線後に端子カバーを差し込むことができるので、機器２００への配線の変更等の作業効率も改善することができる。
【００２６】
また、この例では、列ごとに高さが異なる複数列の端子部に対して第１のカバー１１０、第２のカバー１２０、カバー連結部１３０により、はじめに低い方の位置の端子部をカバーし、次に高い方の位置の端子部をカバーするというように２段階に端子部をカバーするものであるが、カバー及びカバー連結部の数を適宜変更することより、３段階、４段階というように端子部をカバーする段数を変更することができる。
【００２７】
また、第１の端子カバー１１０のねじ固定位置のうち１点を、カバー連結部１３０に付随させることにより、最下段の端子配線時にも端子カバーを機器２００に固定することができ、再配線時のねじ締結作業の削減や端子カバーの脱落防止等、作業効率を改善することができる。端子カバーに固定ねじを一体化することにより、さらに作業効率は改善できる。
【図面の簡単な説明】
【００２８】
【図１】本発明の一実施例を示す構成図である。
【図２】本発明の端子カバーの取付説明図である。
【図３】複数列の端子部を有する機器の構成例を示した図である。
【図４】本発明の端子カバーの取付説明図である。
【図５】本発明の端子カバーの取付説明図である。
【図６】従来の端子カバーの使用例を示した図である。
【符号の説明】
【００２９】
１００  端子カバー
１１０  第１のカバー
１１１，１１２，１２１，１２２  リブ
１２０  第２のカバー
１２３  ボス
１３０  カバー連結部
【図１】
2007134252.tif 000003
【図２】
2007134252.tif 000004
【図３】
2007134252.tif 000005
【図４】
2007134252.tif 000006
【図５】
2007134252.tif 000007
【図６】
2007134252.tif 000008